(57)【要約】【課題】セラミックス製の化粧板部に裏面材を貼り付けるための接着剤の材料を変更することで、この接着剤から家屋内への有害物質の揮発を防止する。【解決手段】家屋の内壁用化粧材１０の化粧板部１１において壁側となる裏面１１Ａにシート状の裏面材を貼り付ける。この裏面材は、紙を素材とする台紙シート１２Ａと、この台紙シート１２Ａの一方側の表面に形成された再湿性接着剤層１２Ｃと、上記台紙シート１２Ａに組み込まれてこの台紙シート１２Ａに沿う方向の変形を抑える補強糸１２Ｂと、を備えた糸入りガムテープ１２であり、かつ、上記再湿性接着剤層１２Ｃにより上記化粧板部１１の裏面１１Ａに接着されて貼り付けられる。【選択図】図３
2014005687.tif 000002
【特許請求の範囲】
【請求項１】
セラミックス製の化粧板部を備え、かつ、当該化粧板部において壁側となる裏面にシート状の裏面材が貼り付けられた家屋用の内壁用化粧材であって、
前記裏面材は、紙を素材とする台紙シートと、当該台紙シートの一方側の表面に形成された再湿性接着剤の層と、前記台紙シートに組み込まれて当該台紙シートに沿う方向の変形を抑える補強糸と、を備えた糸入りガムテープであり、かつ、前記再湿性接着剤の層により前記化粧板部の前記裏面に接着されて貼り付けられていることを特徴とする家屋の内壁用化粧材。
【発明の詳細な説明】
【技術分野】
【０００１】
本発明は、家屋の内壁用化粧材に関する。詳しくは、セラミックス製の化粧板部を備え、かつ、この化粧板部において壁側となる裏面にシート状の裏面材が貼り付けられた家屋の内壁用化粧材に関する。
【背景技術】
【０００２】
従来、トンネルの内壁用化粧材として、壁側となる裏面にシート状の裏面材を貼り付けた陶板を使用する技術が公知であった（例えば特許文献１を参照）。ここで、上記裏面材は、陶板が破損した際に、この陶板の破片が飛散または脱落することを未然に防止するための部材である。
【先行技術文献】
【特許文献】
【０００３】
【特許文献１】特開平１０−０５４１９５号公報
【発明の概要】
【発明が解決しようとする課題】
【０００４】
しかし、上記特許文献１に記載された技術を家屋の内壁用化粧材に応用する際には、以下のような問題があった。すなわち、上記特許文献１に記載された技術では、裏面材を接着剤で貼り付けるため、この接着剤に含有されている添加剤が揮発して、家屋内の生物に悪影響を及ぼすおそれがあった。
本発明は、上記した問題を解決するものとして創案されたものである。すなわち、本発明が解決しようとする課題は、セラミックス製の化粧板部に裏面材を貼り付けるための接着剤の材料を変更することで、この接着剤から家屋内への有害物質の揮発を防止することである。
【課題を解決するための手段】
【０００５】
上記課題を解決するために、本発明の家屋の内壁用化粧材は次の手段をとる。すなわち、本発明は、セラミックス製の化粧板部を備え、かつ、この化粧板部において壁側となる裏面にシート状の裏面材が貼り付けられた家屋の内壁用化粧材である。上記裏面材は、紙を素材とする台紙シートと、この台紙シートの一方側の表面に形成された再湿性接着剤の層と、上記台紙シートに組み込まれてこの台紙シートに沿う方向の変形を抑える補強糸と、を備えた糸入りガムテープであり、かつ、上記再湿性接着剤の層により上記化粧板部の裏面に接着されて貼り付けられている。
ここで、「再湿性接着剤」とは、デキストリン、でんぷん、ポリアクリル系合成樹脂、ポリビニルアルコール、または、上記各物質の混合物など、加湿と脱水とにより接着力を有する溶融状態と接着力のない硬化状態との間で可逆的に状態変化する接着剤である。この再湿性接着剤は、接着の際および接着後に水蒸気以外の物質を揮発させないという性質を有している。
本発明によれば、糸入りガムテープを裏面材として化粧板部に貼り付け、糸入りガムテープの再湿性接着剤により化粧板部と裏面材とを接着させることで、接着剤から家屋内への有害物質の揮発を防止することができる。また、上記糸入りガムテープは台紙シートに再湿性接着剤の層が形成されたものであるので、糸入りガムテープに水分を与えて化粧板部に貼り付けるだけで、この化粧板部と糸入りガムテープとを接着させることができる。これにより、化粧板部に糸入りガムテープを貼り付ける作業の作業性を向上させることができる。さらに、糸入りガムテープが貼り付けられた化粧板部の裏面に対して、この裏面の面内方向の変形を台紙シートに組み込まれた補強糸によって抑えることで、化粧板部の割れに対する強度を向上させることができる。
【図面の簡単な説明】
【０００６】
【図１】本発明の一実施形態に係る内壁用化粧材の使用状態を表した断面図である。
【図２】図１の内壁用化粧材を裏面側から見た背面図である。
【図３】図２のＩＩＩ−ＩＩＩ線部分断面図である。
【発明を実施するための形態】
【０００７】
以下に、本発明の一実施形態に係る内壁用化粧材１０の構成について、図１ないし図３を用いて説明する。なお、以下において、金具を内壁に固定させるボルトや台紙シートにおいて紙同士を接着させる接着剤の層などの付随的な構成については、その図示および詳細な説明を省略する。
内壁用化粧材１０は、図１に示すように、その化粧板部１１の裏面１１Ａが家屋の内壁２０を向いた状態で、この内壁２０を覆うように取り付けられることで、上記化粧板部１１により家屋内部を装飾するための内壁用化粧材である。ここで、内壁用化粧材１０は、その化粧板部１１を、内壁２０にボルトにより固定された金具２１に係止させることにより内壁２０に取り付けられる。
【０００８】
上記化粧板部１１は、焼成させた粘土（本発明における「セラミックス」に相当する。）により中空構造を備えた平板状に形成され、かつ、その上端縁と下端縁とが金具２１を介して互いに係合可能な形状に形成されている。これにより、複数枚の内壁用化粧材１０を用いて家屋の内壁２０を覆う際に、各内壁用化粧材１０を互いに係合させて、この各内壁用化粧材１０の取り付け状態をより安定的にすることができる。
また、化粧板部１１には、図１ないし図３に示すように、内壁２０側の裏面１１Ａを覆うようにシート状の糸入りガムテープ１２が接着されて貼り付けられている。この糸入りガムテープ１２は、本発明における「裏面材」に相当する。
【０００９】
上記糸入りガムテープ１２は、図３に示すように、台紙シート１２Ａと、補強糸１２Ｂと、再湿性接着剤層１２Ｃと、を備えている。上記台紙シート１２Ａは、晒クラフト紙１２Ｄと未晒クラフト紙１２Ｅとを、互いの間に上記補強糸１２Ｂを挟みこんだ状態で再湿性接着剤により接着して貼り合わせたものである。これにより、補強糸１２Ｂは、上記台紙シート１２Ａに組み込まれてこの台紙シート１２Ａに沿う方向の変形を抑えるようになっている。
なお、本実施形態の補強糸１２Ｂはポリエステル繊維製の糸であり、図２および図３に示すように、複数本が台紙シート１２Ａに沿った格子状に組み合わされて配置されている。
【００１０】
上記再湿性接着剤層１２Ｃは、図３に示すように、台紙シート１２Ａの未晒クラフト紙１２Ｅ側（図示下側）の表面を覆うように形成されている。また、再湿性接着剤層１２Ｃは、上記台紙シート１２Ａを化粧板部１１の裏面１１Ａに沿って接着して貼り付けている。
上記構成によれば、化粧板部１１の上記裏面１１Ａに沿うように上記補強糸１２Ｂを配置して、この補強糸１２Ｂにより上記裏面１１Ａの面内方向の変形を抑えることができる。これにより、内壁用化粧材１０の化粧板部１１の割れに対する強度を向上させることができる。
【００１１】
なお、本実施形態の糸入りガムテープ１２に使用される再湿性接着剤は、デキストリン、でんぷん、ポリアクリル系合成樹脂、および、ポリビニルアルコールを混合したものである。この再湿性接着剤は、加湿と脱水とにより接着力を有する溶融状態と接着力のない硬化状態との間で可逆的に状態変化するという性質を有している。このため、上記糸入りガムテープ１２は、その再湿性接着剤層１２Ｃに水分を与えて化粧板部１１の裏面１１Ａに貼り付けるだけでこの裏面１１Ａに接着させることができる。これにより、化粧板部１１の裏面１１Ａに糸入りガムテープ１２を貼り付ける作業の作業性を向上させることができる。
また、上記再湿性接着剤は、接着の際および接着後に水蒸気以外の物質を揮発させないという性質を有している。これにより、内壁用化粧材１０の化粧板部１１の裏面１１Ａに接着された糸入りガムテープ１２において、この糸入りガムテープ１２の再湿性接着剤層１２Ｃから家屋内への有害物質の揮発を防止することができる。
【００１２】
本発明は、上述した一実施形態で説明した外観、構成に限定されず、本発明の要旨を変更しない範囲で種々の変更、追加、削除が可能である。例えば、以下のような各種の形態を実施することができる。
（１）裏面材として化粧板部に貼り付けられる糸入りガムテープの素材は上述したものに限定されない。すなわち、例えば台紙シートにおいてクラフト紙の代わりにクレープ紙を使用した糸入りガムテープなど、素材の異なる糸入りガムテープを採用することができる。
（２）化粧板部の素材は粘土を焼成させたものに限定されない。すなわち、化粧板部の素材として、例えば磁器やファインセラミックスなど、任意のセラミックスを採用することができる。
【符号の説明】
【００１３】
１０    内壁用化粧材
１１    化粧板部
１１Ａ  裏面
１２    糸入りガムテープ（裏面材）
１２Ａ  台紙シート
１２Ｂ  補強糸
１２Ｃ  再湿性接着剤層
１２Ｄ  晒クラフト紙
１２Ｅ  未晒クラフト紙
２０    内壁
２１    金具
【図１】
2014005687.tif 000003
【図２】
2014005687.tif 000004
【図３】
2014005687.tif 000005